(57)【要約】【課題】本発明は、付着した食べ物を簡単に除去でき、首周りへの着脱が容易で首が締まることもないエプロンを提供する。【解決手段】本発明のエプロンは、着用者の胸部を覆う薄板状の前掛け部と、該前掛け部の上縁の一方側から延びて前掛け部の上方の首周りに沿ってその先端が該前掛け部の上縁の反対側まで延びる首周り部と、前記前掛け部の上縁の反対側に設けられ、該首周り部の先端を挿入することで首周り部と前掛け部とを連結可能な連結部と、を備え、該連結部は、シデ紐状の部材を捩じることで２つ以上の環状部が形成され、前記首周り部の先端は先端が先細りになって前記環状部それぞれの穴に該先端を環状部の穴径に接する位置まで挿入することで前記首周り部と前記前掛け部とを連結する。【選択図】図１
2020026603.tif 000002
【特許請求の範囲】
【請求項１】
着用者の胸部を覆う薄板状の前掛け部と、
該前掛け部の上縁の一方側から延びて前掛け部の上方の首周りに沿ってその先端が該前掛け部の上縁の反対側まで延びる首周り部と、
前記前掛け部の上縁の反対側に設けられ、該首周り部の先端を挿入することで首周り部と前掛け部とを連結可能な連結部と、を備え、
該連結部は、シデ紐状の部材を捩じることで２つ以上の環状部が形成され、前記首周り部の先端は前記環状部それぞれの穴に該先端を環状部の穴径に接する位置まで挿入することで前記首周り部と前記前掛け部とを連結する、
ことを特徴とするエプロン。
【請求項２】
前記連結部は、１つの環状のシデ紐状の部材を捩じって上下方向に８の字状を形成し、交差部分を前記前掛け部の上縁の反対側に結合する、ことを特徴とする請求項１に記載のエプロン。
【請求項３】
前記首周り部の先端は先細り形状である、ことを特徴とする請求項１又は請求項２に記載のエプロン。
【請求項４】
前記前掛け部の前面には、脱着可能な交換用保護シートが装着される、ことを特徴とする請求項１から３のいずれかに記載のエプロン。
【請求項５】
前記交換用シートは、布地製であり前記前掛け部とスナップボタンで装着する、ことを特徴とする請求項４に記載のエプロン。
【発明の詳細な説明】
【技術分野】
【０００１】
本発明は、主として乳幼児の涎掛けや離乳食を食べ始める以降の幼児の食事の際に使用する前掛けを有するエプロンに関する。
【背景技術】
【０００２】
乳幼児、離乳食以降の幼児や食事等に介護を要する者（以下、これらの者を「着用者」と総称する。）については、涎や食事の際に口からこぼれた食べ物によって着衣が汚れることがある。従来から、涎やこぼれた食べ物から着衣の汚れを防止するために涎掛けのような首掛け式エプロンが使用されている。このような首掛け式エプロンは布地製と樹脂製のものがある。一般に布地製は、こぼれた食べ物が生地に吸収され、その都度、洗濯を要する点では不利であるが、折り畳んで収納できる点や、首に吊るす際に紐等の首掛け部分の端部を結ぶことで容易に装脱でき且つ首周りに応じて結ぶ長さを調節することで長さを調節できる点では有利である（例えば、特許文献１参照）。
【０００３】
次に、樹脂製のものは、食べ物が生地に吸収されず、水洗いだけで付着した食べ物を除去できる点では有利である。
【０００４】
従来の首掛け式エプロンの場合、布製のものであっても樹脂製のものであっても、前掛け部を吊るす紐等の首周り部を固く結ぶ構成又は締結する構成であるため、着用者の首に吊るした状態で引っ張ったりした場合に着用者の首を絞めてしまうおそれがあった。
【０００５】
したがって、付着した食べこぼしを容易に除去でき、着用者の首周りに容易に脱着可能でありながら、装着時に着用者の首を絞めてしまうおそれのないものが提供される潜在的ニーズがあった。
【先行技術文献】
【特許文献】
【０００６】
【特許文献１】特開２００５−６０９０２号公報
【発明の概要】
【発明が解決しようとする課題】
【０００７】
上記課題に鑑みて本発明は創作されたものであり、本発明は、首周りへの着脱が容易で首が締まることを防止し、付着した食べ物を簡単に除去できるエプロンを提供することを目的とする。
【課題を解決するための手段】
【０００８】
本発明は、着用者の胸部を覆う薄板状の前掛け部と、
該前掛け部の上縁の一方側から延びて前掛け部の上方の首周りに沿ってその先端が該前掛け部の上縁の反対側まで延びる首周り部と、
前記前掛け部の上縁の反対側に設けられ、該首周り部の先端を挿入することで首周り部と前掛け部とを連結可能な連結部と、を備え、
該連結部は、シデ紐状の部材を捩じることで２つ以上の環状部が形成され、前記首周り部の先端は前記環状部それぞれの穴に該先端を環状部の穴径に接する位置まで挿入することで前記首周り部と前記前掛け部とを連結する、
ことを特徴とするエプロンを提供する。
【０００９】
本発明では、首周り部を前掛け部の上縁の一方側のみから延びた状態に構成し、前掛け部を首に吊るすときに反対側の上縁の連結部の環状部の穴に首周り部の先端を挿入するだけで装着できるようにしている。連結部がシデ紐（幅広で薄い形状の紐）状の部材を捩じって環状部を２つ以上形成し、２つ以上の環状部の穴に首周り部の先端を順に挿入して摩擦力で前掛け部を担持することで、着用者の首で前掛け部を吊るすことにしている。シデ紐上の部材は布製に限定されるものではなく、必要な摩擦が生じる素材であれば適宜選択可能であるが、布製のシデ紐形状の場合、幅広で薄い形状であるため捩じった状態であれば挿入した首周り部の先端の縁部との接触部が多く種々の方向で接するためどの方向にもある程度の摩擦力が作用し、摩擦力の調整がしやすい。
【００１０】
また、連結部を捩じった状態で環状部を２つ以上、形成するため両環状部の穴に首周り部の先端を挿入すると必然的に先端が曲がって方向性を変えるため、前掛け部を下に引っ張っても首周りの先端が連結部から抜けようとする力が同一方向に作用せず、摩擦力を増加させる。したがって、このような構成にすれば一見しっかり連結しなくても着用者が前掛け部を引っ張る力に対しては十分に抗することができ、首に吊るした状態を維持することができる。
【００１１】
その一方、首周り部の先端は連結部の環状部の穴に挿入しているだけなのでそれぞれの環状部から先端を抜き出すだけで首周り部を首から外すことができる。すなわち、本エプロンによれば、従来の首掛け式エプロンのように首周り部を結ぶ手間が不要であり、別途専用の連結部及びこれに適合する首周り部の形状を設ける必要がなく、簡単に装着・取外しすることができる。また、首周りが連結部に固く固定されていないため前掛け部が引っかかったりして必要以上の力が首に作用した場合には外れてしまうので首が締まる可能性が低減され、安全面でも良好である。
【００１２】
また、前記連結部は、１つの環状のシデ紐状の部材を捩じって上下方向に８の字状を形成し、交差部分を前記前掛け部の上縁の反対側に結合する構成が例示される。
【００１３】
例示されるシデ紐状の連結部は、１つの環状体を捩じって８の字にすることで２つの環状部を作っており、そのとき８の字の交差部分と前掛け部の上縁を結合している。これによってエプロンを製造する工程で１つの連結部材を捩じって結合するだけで容易に連結部を作ることができる。
【００１４】
また、前記首周り部の先端は先細り形状であることが好ましい。先端を先細り形状とすることで、連結部に挿通し易くなるほか、連結部との摩擦力をほどよく調整することができるため、安全面でも良好である。
【００１５】
さらに、前記前掛け部の前面に脱着可能な交換用保護シートを装着するように構成しても良い。
【００１６】
例えば、交換用保護シートは、布地製であり前記前掛け部とスナップボタンで装着することができる。
【００１７】
本発明のエプロンでは、布製の前掛け部で構成した場合であっても布製等の保護シートを脱着可能な交換用として用意しておくと、食べこぼしが保護シートに付着するため取り外して交換し洗濯するだけでエプロン自体を汚さず、常に清潔に保つことができる。特に取外しに容易なスナップボタンでの装脱式にしておくと扱い易い。
【発明の効果】
【００１８】
本発明によれば、前掛け部を首周りに容易に脱着できるうえに、着用者の首が締まってしまうことを回避できる。さらに、前掛け部の全面に着脱可能な交換用保護シートを設けると、前掛け部自体を汚さず清潔さを維持することが可能となる。
【図面の簡単な説明】
【００１９】
【図１】幼児用エプロンの正面図を示している。
【図２】幼児用エプロンの背面図を示している。
【図３】幼児用エプロンの平面図及び底面図を示している。
【図４】幼児用エプロンの右側面図を示している。
【図５】図１〜図４の幼児用エプロンの前掛け部の交換用保護シートを取り外した状態の正面図を示している。
【図６】首周り部の先端が連結部に挿入された状態を示す拡大正面図を示している。
【発明を実施するための形態】
【００２０】
以下、本発明に係る幼児用エプロンの代表的な実施形態を、図１〜図６を参照しながら詳細に説明する。なお、本発明は本実施形態に限られないことはいうまでもなく、本実施形態は幼児用のエプロンとしているが、食事の介護を要する者用のエプロンとして使用することも可能である。また、布製のエプロンとしているが、樹脂等他の素材を採用することも可能である。
【００２１】
図１は幼児用エプロン１０の正面図、図２は幼児用エプロン１０の背面図、図３は幼児用エプロン１０の平面図（上方）及び底面図（下方）、図４は幼児用エプロン１０の右側面図、図５は図１〜図４の幼児用エプロン１０の前掛け部１２の交換用保護シート１８を取り外した状態の正面図、図６は首周り部１４の先端が連結部１６に挿入された状態を示す拡大正面図を示している。
【００２２】
幼児用エプロン１０は、全体として布製であり、幼児の胸部の前面を覆う前掛け部１２と、幼児の首周りに掛けて前掛け部１２を吊るす首周り部１４と、首周りに掛けた首周り部１４の先端を前掛け部１２に連結する連結部１６とを有している。
【００２３】
まず、前掛け部１２は幼児の首元から腹部あたりまで（本明細書では「胸部」とも称す。）の全面又はその一部を覆うものであり、図１〜図６の幼児用エプロン１０では縁部１２ｃの全域（首周り部１４も含む）を内側に折り返して縫製している。布地の切断面の耐久性や全体としての装飾性を向上させるためである。また、前掛け部１２の表面（図１の正面図側）には、前掛け部１２の大部分の領域を覆う交換用保護シート１８（以下、単に「保護シート１８」とも称す。）が取り付けられている。
【００２４】
保護シート１８は、前述のように食べこぼしが前掛け部１２に直接付着することを防止するものである。保護シート１８と前掛け部１８とのそれぞれには、互いにスナップ留めし得るスナップボタン１８ａ、１２ａが装着されており、保護シート１８は前掛け部１２に対して脱着容易であり、交換可能である。図１〜図６の例ではそれぞれ上方に２つのスナップボタン１８ａ、１２ａを設けている。
【００２５】
首周り部１４は、前掛け部１２と同一生地で一体に構成されており、前掛け部１２の上縁１２ｄの幅方向一方側１２ｆから上方に延びている。図１の正面図では幼児の首に巻き付けて吊るす際、母親等が右利きの可能性が高いことを考慮し、左側１２ｆから延びている。前掛け部１２の上縁１２ｄの左側１２ｆから延びた首周り部１４は、幼児の首周りに沿って巻き付けられるように右側に延びていき、その先端１４ａが前掛け部１２の上縁１２ｄの幅方向反対側（右側）１２ｅ近傍に到達する。また、首周り部１４の先端１４ａは先端に向かって先細りになっている。
【００２６】
また、図１の正面図（及び図５、図６）からもわかるように、前掛け部１２の上縁１２ｄの右側１２ｅには、首周り部１４の先端１４ａと連結する連結部１６が設けられている。連結部１６は、シデ紐状（幅広で厚み方向に薄い紐状）の部材を捩じって所謂メビウスの輪のように環状にし、これを捩じって８の字（２つの環状部１６ａ、１６ｂ）にして、８の字の交差部分１６ｃを前掛け部１２の上縁１２ｄの右側１２ｅに縫製して固定している。
【００２７】
縫製した状態では、図１に示すように上方に環状部１６ａと下方に環状部１６ｂとが形成されているが、幼児に着用させる場合、胸部に前掛け部１２を位置決めした状態で首周り部１４を首の周囲に巻き付けた後、首周り部１４の先端１４ａを連結部１６に連結する。まず、図５の矢印に示すように下方の環状部１６ｂを交差部分１６ｃを支点に上方に折り返してその穴が上方の環状部１６ａの穴と重なるようにする。この状態で首周り部１４の先端１４ａを環状部１６ａの穴、環状部１６ｂの穴の順に通していく。
【００２８】
図６は、首周り部１４の先端１４ａを連結部１６の環状部１６ａの穴及び環状部１６ｂの穴に通された状態を示しており、環状部１６ａと環状部１６ｂとは首周り部１４方向に平行に並んでいるのではなく、捩じられた環状部１６ａと環状部１６ｂと交差部分１６ｃと首周り部１４の先端１４ａとの摩擦力が作用する方向が異なるため幼児が引っ張る程度の力に抗して連結状態を維持し得る。なお、本実施形態の首周り部１４の先端１４ａは先細り形状としているが、当該先端１４ａの幅を連結部１６の環状部１６ａ、１６ｂの径よりやや大とし、先端１４ａを幅方向に二つ折りした状態で環状部１６ａ、１６ｂに通すように構成することもできる。
【００２９】
以上、本発明の実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３０】
本発明は、容易に脱着できるうえに着用者の首が締まってしまうことも回避できるため、安全性の高い前掛け式エプロンを提供することができ、産業上の利用性が大幅に向上する。
【符号の説明】
【００３１】
１０    幼児用エプロン
１２    前掛け部
１２ａ  スナップボタン
１２ｃ  縁部
１２ｄ  上縁
１２ｅ  右側（幅方向一方側）
１２ｆ  左側（幅方向反対側）
１４    首周り部
１４ａ  先端
１６    連結部
１６ａ、１６ｂ  環状部
１６ｃ  交差部分
１８  保護シート
１８ａ  スナップボタン
【図１】
2020026603.tif 000003
【図２】
2020026603.tif 000004
【図３】
2020026603.tif 000005
【図４】
2020026603.tif 000006
【図５】
2020026603.tif 000007
【図６】
2020026603.tif 000008
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
着用者の胸部を覆う薄板状の前掛け部と、
該前掛け部の上縁の一方側から延びて前掛け部の上方の首周りに沿ってその先端が該前掛け部の上縁の反対側まで延びる首周り部と、
前記前掛け部の上縁の反対側に設けられ、該首周り部の先端を挿入することで首周り部と前掛け部とを連結可能な連結部と、を備え、
該連結部は、１つの環状のシデ紐状の部材を捩じって上下方向に８の字状の環状部を形成して交差部分を前記前掛け部の上縁の反対側に結合し、前記首周り部の先端を前記環状部それぞれの穴に該先端を環状部の穴径に接する位置まで挿入することで前記首周り部と前記前掛け部とを連結する、
ことを特徴とするエプロン。
【請求項２】
前記首周り部の先端は先細り形状である、ことを特徴とする請求項１に記載のエプロン。
【請求項３】
前記前掛け部の前面には、脱着可能な交換用保護シートが装着される、ことを特徴とする請求項１又は２に記載のエプロン。
【請求項４】
前記交換用保護シートは、布地製であり前記前掛け部とスナップボタンで装着する、ことを特徴とする請求項３に記載のエプロン。
【手続補正２】
【補正対象書類名】明細書
【補正対象項目名】０００５
【補正方法】変更
【補正の内容】
【０００５】
したがって、付着した食べこぼしを容易に除去でき、連結状態を維持し得る一方、着用者の首周りに容易に脱着可能でありながら、装着時に着用者の首を絞めてしまうおそれのないものが提供される潜在的ニーズがあった。
【手続補正３】
【補正対象書類名】明細書
【補正対象項目名】０００７
【補正方法】変更
【補正の内容】
【０００７】
上記課題に鑑みて本発明は創作されたものであり、本発明は、連結状態を維持し得る一方、首周りへの着脱が容易で首が絞まることを防止し、付着した食べ物を簡単に除去できるエプロンを提供することを目的とする。
【手続補正４】
【補正対象書類名】明細書
【補正対象項目名】００１８
【補正方法】変更
【補正の内容】
【００１８】
本発明によれば、連結状態を維持し得る一方、前掛け部を首周りに容易に脱着できるうえに、着用者の首が絞まってしまうことを回避できる。さらに、前掛け部の全面に着脱可能な交換用保護シートを設けると、前掛け部自体を汚さず清潔さを維持することが可能となる。
【手続補正５】
【補正対象書類名】明細書
【補正対象項目名】００３０
【補正方法】変更
【補正の内容】
【００３０】
本発明は、連結状態を維持し得る一方、容易に脱着できるうえに着用者の首が絞まってしまうことも回避できるため、安全性の高い前掛け式エプロンを提供することができ、産業上の利用性が大幅に向上する。